(57)【要約】  部分的に液体が入った容器の不慮の転倒を実質的に最小限に抑えるための装置である。この装置は、トレイ、コースター、車両に配置されたカップホルダ、および前記容器の少なくとも１つに係合可能な第１の部分と、第１の部分がこのようなトレイ、コースター、およびカップホルダのうちの１つの内部または上部に配置される場合には、容器上に配置される第２の部分とを備える。【選択図】図２Ｃ
2013525207.tif 000002
【特許請求の範囲】
【請求項１】
液体が部分的に入った容器の不慮の転倒を実質的に最小限に抑えるための装置であって、
ａ）トレイ、コースター、車両に配置されたカップホルダ、梯子、および前記容器の少なくとも１つに係合可能な第１の部分を備え、
前記第１の部分は、
ｉ）第１の所定の幅、第１の所定の直径を有する外面、及び第２の所定の直径を有する内面のそれぞれを有する、全体が円形の中空部材と、
ｉｉ）前記全体が円形の中空部材の前記内面の内部および上の少なくとも一方に形成された、所定のピッチを有する第１の所定の複数の歯車状の歯と、
ｉｖ）前記全体が円形の中空部材の前記外面上に配置され、所定位置の前記外面から外側に延び、全体が矩形の横断面を有する環状部材と、
ｖ）前記環状部材の底面より下に配置されて、前記底面と係合可能な上面の少なくとも一部を有し、前記全体が円形の中空部材を定位置に保持し、かつ前記全体が円形の中空部材を自身の上で回転可能にするのを助けるための第１の手段と、
ｖｉ）前記環状部材の上面より上に配置され、前記上面に面した底面の少なくとも一部を有し、前記全体が円形の中空部材を定位置に保持するのを助けるための第２の手段と、
ｖｉｉ）前記第１の手段および前記第２の手段のそれぞれと係合可能な、前記第１の手段の上面の少なくとも一部と、前記第２の手段の底面の少なくとも一部との間に所定の距離を維持するための第３の手段と備え、
さらに前記装置は、
ｂ）前記第１の部分が前記容器上に配置される場合には、前記トレイ、前記コースター、および前記カップホルダのうちの１つの内部または上部に配置され、前記第１の部分が前記トレイ、前記コースター、および前記カップホルダのうちの１つの内部または上部に配置される場合には、前記容器上に配置され、外面に配置された全体が円形の部材上に配置され、前記第１の所定の複数の歯と噛み合うための前記所定のピッチを有する第２の所定の複数の歯車状の歯を有する第２の部分を備えることを特徴とする装置。
【請求項２】
前記容器は、グラス、プラスチックカップ、紙コップ、および金属容器からなる群から選択されることを特徴とする請求項１に記載の装置。
【請求項３】
前記全体が円形の中空部材の前記第１の所定の幅は、約０．１２５インチ〜約１．００インチであることを特徴とする請求項２に記載の装置。
【請求項４】
前記第１の所定の複数の歯は、前記全体が円形の中空部材の前記内面に形成されることを特徴とする請求項２に記載の装置。
【請求項５】
前記全体が円形の中空部材の外面に配置された前記環状部材の所定位置は、前記全体が円形の中空部材の所定の縁部に近接した位置、または前記全体が円形の中空部材の外縁のほぼ中間の位置であることを特徴とする請求項１に記載の装置。
【請求項６】
前記全体が円形の中空部材の外面に配置された前記環状部材の所定位置は、前記全体が円形の中空部材の外縁のほぼ前記中間の位置であることを特徴とする請求項５に記載の装置。
【請求項７】
前記第１の手段は、棚であることを特徴とする請求項１に記載の装置。
【請求項８】
前記第１の部分はトレイであり、
前記棚は、前記トレイの床面として形成されるか、または前記トレイに係合する別の部品として形成されることを特徴とする請求項７に記載の装置。
【請求項９】
前記第１の部分はトレイであり、
前記棚は、前記トレイに係合する別の部品として形成されることを特徴とする請求項８に記載の装置。
【請求項１０】
前記第１の手段は棚であることを特徴とする請求項１に記載の装置。
【請求項１１】
前記第１の部分はトレイであり、
前記棚は、前記トレイの床面として形成される、または前記トレイに係合する別の部品として形成されることを特徴とする請求項７に記載の装置。
【請求項１２】
前記第２の手段は、前記第１の部分と係合する別の部品として形成された棚であることを特徴とする請求項１に記載の装置。
【請求項１３】
前記棚は、前記第１の部分と係合する別の部品として形成されることを特徴とする請求項１２に記載の装置。
【請求項１４】
前記第３の手段は、摩擦係合または所定の複数の指状突起であることを特徴とする請求項１に記載の装置。
【請求項１５】
前記第３の手段は、複数の指状突起であることを特徴とする請求項１４に記載の装置。
【請求項１６】
前記第１および第２の所定の複数の歯は、同一であることを特徴とする請求項１に記載の装置。
【請求項１７】
前記第１の部分は、車両に配置されたカップホルダであり、
前記装置は、少なくとも一部が前記装置の底面に配置される第４の手段をさらに備えることを特徴とする請求項１に記載の装置。
【請求項１８】
前記第４の手段は、接着剤および少なくとも１つの磁石から選択されることを特徴とする請求項１７に記載の装置。
【請求項１９】
前記第４の手段は、前記接着剤であることを特徴とする請求項１８に記載の装置。
【請求項２０】
前記接着剤は、両面テープであることを特徴とする請求項１９に記載の装置。
【発明の詳細な説明】
【技術分野】
【０００１】
本発明は、一般に、予め選択された液体を保持するための容器に関し、より詳しくは、容器に少なくとも部分的に液体が入っている場合に、容器の不慮の転倒を実質的に最小限に抑えるための装置に関する。
【背景技術】
【０００２】
本発明について検討し説明するのに先立ち、一般に先行技術においてよく知られているように、液体が入った容器の不慮の転倒が比較的頻繁に起こっている。これは特に、小さな子どもや高齢者がいる場合に起こる。
【０００３】
出願人に公知であり現在市販されている、容器の転倒を防ぐためのホルダは、一般に、自動車等の装置内に常設的に接続または配置される。このようなホルダは、さらに、飲料容器のみを保持するように設計される。携帯用容器の転倒を防止し、かつ飲料容器の保持に加えて、飲料容器以外の容器を保持する設計を提供するホルダを有することが望ましいと考えられる。
【０００４】
このような設計の１つが、本出願人の先行特許出願、２００３年５月１４日に出願した特許文献１および２００３年７月３日付に出願した特許文献２で教示されている。これらの設計に関する問題は、容器をホルダに挿入し、かつ／またはホルダから取り外すために、容器をねじらなければならないことである。
【０００５】
出願人が現在知っている先行技術発明には、容器をまっすぐに持ち上げて、容器をねじる必要なく容器をホルダから取り外し、かつホルダに戻しながら、転倒防止能力を提供するものはない。
【先行技術文献】
【特許文献】
【０００６】
【特許文献１】米国特許出願第１０／４３７８１７号明細書
【特許文献２】米国特許出願第１０／６１３２４３号明細書
【発明の概要】
【発明が解決しようとする課題】
【０００７】
したがって、本発明の主な目的は、携帯用または固定用保持装置として有用であり、かつ少なくとも部分的に液体が入った容器の不慮の転倒を実質的に最小限に抑える装置を提供することである。
【０００８】
本発明の別の目的は、予め選択された平滑面に装置を解放可能または永久的に固定するための手段を備えた、容器の転倒を実質的に最小限に抑える装置を提供することである。
【０００９】
本発明のさらに別の目的は、使用が比較的容易な、容器の転倒を実質的に最小限に抑える装置を提供することである。
【００１０】
本発明のさらに別の目的は、製造が比較的安価な、容器の転倒を実質的に最小限に抑える装置を提供することである。
【００１１】
本発明のさらなる目的は、ラップトップトレイ、カフェテリア型トレイ、コースター、車両に配置されるカップホルダ、および梯子に取り付けられるトレイ等の種々の応用例において使用可能な、容器の転倒を実質的に最小限に抑える装置を提供することである。
【００１２】
本発明のさらなる目的は、容器を装置から取り外すためにねじる必要のない、容器の転倒を実質的に最小限に抑える装置を提供することである。
【００１３】
本発明のさらに別の目的は、予め選択された画像の１つが上面に配置されているラップトップトレイに組み込まれた、容器の転倒を実質的に最小限に抑える装置を提供することである。
【００１４】
本発明のさらなる目的は、種々の応用例のために後付け可能な、容器の転倒を実質的に最小限に抑える装置を提供することである。
【課題を解決するための手段】
【００１５】
本発明は、予め選択した液体が少なくとも部分的に入った容器の不慮の転倒を実質的に最小限に抑えるための装置を提供する。装置は、トレイ、コースター、車両に配置されたカップホルダ、および容器の少なくとも１つに係合可能な第１の部分を備える。第１の部分は、第１の所定の幅、第１の所定の直径を有する外面、第２の所定の直径を有する内面のそれぞれを有する、全体が円形の中空部材を備える。第１の部分は、前記全体が円形の中空部材の内面の内部および上の少なくとも一方に形成された、所定のピッチを有する第１の所定の複数の歯車状の歯をさらに備える。全体が円形の中空部材の外面上に配置され、所定位置の外面から外側に延びる環状部材がある。このような環状部材は、好ましくは、全体が矩形の横断面である。さらに、第１の部分が、環状部材の底面より下に配置されて、底面と係合可能な上面の少なくとも一部を有し、全体が円形の中空部材を定位置に保持し、かつこのような全体が円形の中空部材を自身の上で回転可能にするのを助けるための第１の手段を備える。前記環状部材の上面より上に配置され、上面に面した底面の少なくとも一部を有する第２の手段が、全体が円形の中空部材を定位置に保持するのを助けるために設けられる。装置の第１の部分の最後の基本的要素は、第１の手段および第２の手段のそれぞれと係合可能な、第１の手段のこのような上面の少なくとも一部と、このような第２の手段の底面の少なくとも一部との間に所定の距離を維持するための第３の手段である。装置の最後の基本的要素は第２の部分であり、この第２の部分は、第１の部分がこのような容器上に配置されるときには、トレイ、コースター、およびカップホルダのうちの１つの内部または上部に配置され、このような第１の部分がこのようなトレイ、コースター、およびカップホルダのうちの１つの内部または上部に配置されるときには、容器上に配置される。第２の部分は、外面に配置された全体が円形の部材上に配置され、第１の所定の複数の歯と噛み合うための所定のピッチを有する第２の所定の複数の歯車状の歯を有する。
【００１６】
詳細に前述した本発明の複数の目的および利点に加えて、本発明のより詳細な以下の説明を、特に、添付図面および添付の特許請求の範囲と組み合わせて読むことにより、本発明の種々の他の目的および利点が当業者に容易に明らかになるであろうことに留意されたい。
【図面の簡単な説明】
【００１７】
【図１】トレイとともに使用する、本発明の現在好ましい実施形態の１つの横断面図である。
【図２Ａ】外側歯車アセンブリの一部が容器に取り付けられた代替形態を備えた容器の側面図である。
【図２Ｂ】図２Ａに示す容器に取り付けるための歯車の側面図である。
【図２Ｃ】図２Ｂに示す歯車が容器に取り付けられた、図２Ａに示す容器の側面図である。
【図３】本発明の現在好ましい実施形態を備えたコースターの側面図である。
【図４Ａ】車両用カップホルダ（図示せず）で使用される場合の装置の現在好ましい実施形態を示す図である。
【図４Ｂ】車両用カップホルダ（図示せず）で使用される場合の装置の現在好ましい実施形態を示す図である。
【図４Ｃ】車両用カップホルダ（図示せず）で使用される場合の装置の現在好ましい実施形態を示す図である。
【図４Ｄ】車両用カップホルダ（図示せず）で使用される場合の装置の現在好ましい実施形態を示す図である。
【図５Ａ】容器の旋回型受けアセンブリを示す図である。
【図５Ｂ】容器の旋回型受けアセンブリを示す図である。
【図５Ｃ】容器の旋回型受けアセンブリを示す図である。
【図６Ａ】カフェテリア型トレイおよび航空機のドロップライントレイで使用可能な永久型旋回アセンブリを示す図である。
【図６Ｂ】カフェテリア型トレイおよび航空機のドロップライントレイで使用可能な永久型旋回アセンブリを示す図である。
【図７Ａ】自動車のカップホルダで使用する装置の代替形態を示す図である。
【図７Ｂ】自動車のカップホルダで使用する装置の代替形態を示す図である。
【図８Ａ】トレイとともに使用するスナップロック接続を有する、本発明の別の代替形態を示す図である。
【図８Ｂ】トレイとともに使用するスナップロック接続を有する、本発明の別の代替形態を示す図である。
【図９】容器または別の面に取り付け可能な、永久旋回歯車状アセンブリを示す図である。
【図１０】容器または別の面に取り付け可能な、永久非旋回歯車状アセンブリを示す図である。
【図１１】可動式旋回歯車状アセンブリを有する、本発明の複数の代替形態を示す図である。
【図１２】可動式旋回歯車状アセンブリを有する、本発明の複数の代替形態を示す図である。
【図１３】可動式旋回歯車状アセンブリを有する、本発明の複数の代替形態を示す図である。
【図１４】可動式旋回歯車状アセンブリを有する、本発明の複数の代替形態を示す図である。
【図１５Ａ】紙コップに接続するための、本発明の実施形態を示す図である。
【図１５Ｂ】紙コップに接続するための、本発明の実施形態を示す図である。
【図１５Ｃ】紙コップに接続するための、本発明の実施形態を示す図である。
【発明を実施するための形態】
【００１８】
本発明のより詳細な説明に進む前に、同一の機能を有する同一の部品は、添付図面に示す複数の図全体を通じて同一の参照符号で示されることに留意されたい。
【００１９】
以下、図１、図２Ａ〜図２Ｃ、図３を特に参照する。図には、全体を１０で示す装置の現在好ましい実施形態のうち２つが示されており、この装置１０は、少なくとも部分的に液体が入った、全体を２０で示す容器（図２Ａ、図２Ｃ）の不慮の転倒を実質的に最小限に抑える。
【００２０】
装置１０は、トレイ１２、コースター１４、車両（図示せず）に配置されたカップホルダ（図示せず）、および容器２０の少なくとも１つに係合可能な、全体を３０で示す第１の部分を備える。第１の部分３０は第１の所定の幅（Ｗ）、第１の所定の直径（Ｄ１）をもつ外面２２、第２の所定の直径（Ｄ２）をもつ内面２４をそれぞれ有する、全体が円形の中空部材１８を備える。
【００２１】
第１の部分３０は、全体が円形の中空部材１８の内面２４の内部および上の少なくとも一方に形成された、所定のピッチを有する第１の所定の複数の歯車状の歯２６をさらに備える。環状部材２８が、全体が円形の中空部材１８の外面２２に配置され、外面２２から所定位置で外側に延びる。環状部材２８は、現在好ましい一実施形態では、全体が矩形の横断面を有し、全体が円形の中空部材１８の幅Ｗのほぼ中間に位置するが、一縁部に近接して位置決めされていてもよい。
【００２２】
第１の部分３０は、環状部材２８の底面３４より下に配置されて、全体を４０で示す、底面３４と係合可能な上面３２の少なくとも一部を有する第１の手段であって、全体が円形の中空部材１８を定位置に保持し、かつこのような全体が円形の中空部材１８を第１の手段上で回転可能にするのを助けるための第１の手段をさらに備える。全体を５０で示す第２の手段も設けられる。第２の手段５０は、環状部材２８の上面３８より上に配置されて、上面３８に面した底面３６の少なくとも一部を有し、全体が円形の中空部材１８を定位置に保持するのを助ける。装置１０の第１の部分３０の最後の基本要素は、全体を６０で示す第３の手段であり、第１の手段４０および第２の手段５０のそれぞれと係合して、このような第１の手段４０の上面３２の少なくとも一部と、このような第２の手段５０の底面３６の少なくとも一部との間に所定の距離を維持する。好ましくは、第３の手段６０は摩擦係合である。
【００２３】
装置１０の最後の基本要素は、全体を７０で示す第２の部分であり、第１の部分３０が容器２０上に配置されているときには、トレイ１２、コースター１４、およびカップホルダ１６のうちの１つの内部または上部に配置され、このようなトレイ１２、コースター１４、およびカップホルダ１６のうちの１つの内部または上部に配置されているときには、このような容器２０上に配置される。第２の部分７０は、外面４６に配置された全体が円形の部材４４上に配置され、第１の所定の複数の歯２６と噛み合うための所定のピッチを有する第２の所定の複数の歯車状の歯４２を有する。好ましくは、第２の部分７０が、容器２０上に配置される。
【００２４】
次に、図４Ａ〜図４Ｄを参照する。車両用カップホルダ（図示せず）で使用される装置１０の第１の部分３０の代替形態を示す。本実施形態では、第２の手段５０が、永久基部５２に係合可能な指状部材４８を備える。基部５２は、基部５２を車両用カップホルダの底部に接着するための、底面に配置された接着面５４を有する。
【００２５】
図５Ａ〜図５Ｃは、歯車状部材１８のための、容器２０の旋回型受けアセンブリ５０を示す図である。
【００２６】
図６Ａ〜図６Ｂは、カフェテリア型トレイ（図示せず）および航空機のドロップダウントレイ（図示せず）で使用可能な永久型旋回アセンブリ５０を示す図である。
【００２７】
図７Ａ〜図７Ｂは、自動車のカップホルダで使用する装置の代替形態を示す図である。本実施形態では、一連の磁石５８が、受けアセンブリ５０の底部に接着されて、車両用カップホルダの底部に接着された金属板５６に引き付けられる。
【００２８】
図８Ａ〜図８Ｂは、開口が内部を通って形成されたトレイ（図示せず）とともに使用する、全体を８０で示すスナップロック接続を有する、本発明の別の代替形態を示す図である。
【００２９】
図９は、容器２０または他の面に取り付け可能な永久旋回歯車状アセンブリ１８を示す図であり、図１０は、容器１８または他の面に取り付け可能な永久非旋回歯車状アセンブリ１８を示す図である。
【００３０】
図１１〜図１４は、吸引型部材６２を使用して表面に対して保持される、可動式旋回歯車状アセンブリ１８を有する本発明の複数の代替形態を示す。
【００３１】
図１５Ａ〜図１５Ｃは、紙コップに接続するための本発明の２つの実施形態を示す。図１６Ａに示す実施形態では、紙コップ６６の底縁６４の内側に係合するようにスナップで開閉する、全体を９０で示す機構が例示されている。図１６Ｂに示す実施形態では、全体を１００で示す機構が例示され、通常は閉じており、紙コップ６６の底縁６４の内側に係合するようにスナップで開くものである。
【００３２】
本明細書で教示された実施形態の各々では、容器が、ガラスまたはプラスチックから形成されたグラス、プラスチックカップ、紙コップ、および金属容器からなる群から選択される。
【００３３】
本発明の現在好ましい実施形態において、全体が円形の中空部材の第１の所定の幅は、通常、約０．１２５インチ〜約１．００インチである。
【００３４】
加えて、第１の所定の複数の歯は、このような全体が円形の中空部材の内面に形成され、このような全体が円形の中空部材の外面に配置された環状部材の所定位置は、全体が円形の中空部材の所定の縁部に近接した位置、または全体が円形の中空部材の外縁のほぼ中間の位置である。本発明の現在好ましい実施形態では、このような環状部材の所定位置は、全体が中空の円形部材の外縁のほぼ中間の位置である。
【００３５】
第１の手段は、別の部分に、またはトレイに形成された穴の一部として形成可能な棚部材である。第１の部分がトレイであり、棚がこのようなトレイの床面として形成されるものであると、費用が掛からない。
【００３６】
本発明の現在好ましい一実施形態では、第３の手段が、摩擦係合または所定の複数の指状突起である。さらに、第１のおよび第２の所定の複数の歯は同一である。
【００３７】
第１の部分が車両に配置されるカップホルダである場合は、装置は、少なくとも一部が装置の底面に配置される第４の手段をさらに備える。このような第４の手段は、接着剤、好ましくは、両面接着剤、および少なくとも１つの磁石から選択される。
【００３８】
本発明の現在好ましい実施形態および複数の代替形態について詳細に前述したが、当業者は、添付の特許請求の範囲およびその趣旨を逸脱することなく、本明細書で教示された部品の種々の他の構成を想定することができることを理解されたい。
【図１】
2013525207.tif 000003
【図２Ａ−２Ｂ】
2013525207.tif 000004
【図２Ｃ】
2013525207.tif 000005
【図３】
2013525207.tif 000006
【図４Ａ】
2013525207.tif 000007
【図４Ｂ】
2013525207.tif 000008
【図４Ｃ】
2013525207.tif 000009
【図４Ｄ】
2013525207.tif 000010
【図５Ａ】
2013525207.tif 000011
【図５Ｂ】
2013525207.tif 000012
【図５Ｃ】
2013525207.tif 000013
【図６Ａ】
2013525207.tif 000014
【図６Ｂ】
2013525207.tif 000015
【図７Ａ】
2013525207.tif 000016
【図７Ｂ】
2013525207.tif 000017
【図８Ａ】
2013525207.tif 000018
【図８Ｂ】
2013525207.tif 000019
【図９】
2013525207.tif 000020
【図１０】
2013525207.tif 000021
【図１１】
2013525207.tif 000022
【図１２】
2013525207.tif 000023
【図１３】
2013525207.tif 000024
【図１４】
2013525207.tif 000025
【図１５Ａ】
2013525207.tif 000026
【図１５Ｂ】
2013525207.tif 000027
【図１５Ｃ】
2013525207.tif 000028
【手続補正書】
【提出日】平成23年10月10日(2011.10.10)
【手続補正１】
【補正対象書類名】特許請求の範囲
【補正対象項目名】全文
【補正方法】変更
【補正の内容】
【特許請求の範囲】
【請求項１】
液体が実質的に入った容器の不慮の転倒を実質的に最小限に抑えるための装置であって、
ａ）トレイ、コースター、車両に配置されたカップホルダ、梯子、および前記容器の少なくとも１つに係合可能な第１の部分を備え、
前記第１の部分は、
ｉ）第１の所定の幅、第１の所定の直径を有する外面、及び第２の所定の直径を有する内面のそれぞれを有する、全体が円形の中空部材と、
ｉｉ）前記全体が円形の中空部材の前記内面の内部および上の少なくとも一方に形成された、所定のピッチを有する第１の所定の複数の歯車状の歯と、
ｉｉｉ）前記全体が円形の中空部材の前記外面上に配置され、所定位置の前記外面から外側に延び、全体が矩形の横断面を有する環状部材と、
ｉｖ）前記環状部材の底面より下に配置されて、前記底面と係合可能な上面の少なくとも一部を有し、前記全体が円形の中空部材を定位置に保持し、かつ前記全体が円形の中空部材を自身の上で回転可能にするのを助けるための第１の手段と、
ｖ）前記環状部材の上面より上に配置され、前記上面に面した底面の少なくとも一部を有し、前記全体が円形の中空部材を定位置に保持するのを助けるための第２の手段と、
ｖｉ）前記第１の手段および前記第２の手段のそれぞれと係合可能な、前記第１の手段の上面の少なくとも一部と、前記第２の手段の底面の少なくとも一部との間に所定の距離を維持するための第３の手段と備え、
さらに前記装置は、
ｂ）前記第１の部分が前記容器上に配置される場合には、前記トレイ、前記コースター、および前記カップホルダのうちの１つの内部または上部に配置され、前記第１の部分が前記トレイ、前記コースター、および前記カップホルダのうちの１つの内部または上部に配置される場合には、外面に配置された全体が円形の部材上に配置され、前記第１の所定の複数の歯と噛み合うための前記所定のピッチを有する第２の所定の複数の歯車状の歯を有する第２の部分を備えることを特徴とする装置。
【請求項２】
前記容器は、グラス、プラスチックカップ、紙コップ、および金属容器からなる群から選択されることを特徴とする請求項１に記載の装置。
【請求項３】
前記全体が円形の中空部材の前記第１の所定の幅は、約０．１２５インチ〜約１．００インチであることを特徴とする請求項２に記載の装置。
【請求項４】
前記第１の所定の複数の歯は、前記全体が円形の中空部材の前記内面に形成されることを特徴とする請求項２に記載の装置。
【請求項５】
前記全体が円形の中空部材の外面に配置された前記環状部材の所定位置は、前記全体が円形の中空部材の所定の縁部に近接した位置、または前記全体が円形の中空部材の外縁のほぼ中間の位置であることを特徴とする請求項１に記載の装置。
【請求項６】
前記全体が円形の中空部材の外面に配置された前記環状部材の所定位置は、前記全体が円形の中空部材の外縁のほぼ前記中間の位置であることを特徴とする請求項５に記載の装置。
【請求項７】
前記第１の手段は、棚であることを特徴とする請求項１に記載の装置。
【請求項８】
前記第１の部分はトレイであり、
前記棚は、前記トレイの床面として形成されるか、または前記トレイに係合する別の部品として形成されることを特徴とする請求項７に記載の装置。
【請求項９】
前記第１の部分はトレイであり、
前記棚は、前記トレイに係合する別の部品として形成されることを特徴とする請求項８に記載の装置。
【請求項１０】
前記第１の手段は棚であることを特徴とする請求項１に記載の装置。
【請求項１１】
前記第１の部分はトレイであり、
前記棚は、前記トレイの床面として形成される、または前記トレイに係合する別の部品として形成されることを特徴とする請求項７に記載の装置。
【請求項１２】
前記第２の手段は、前記第１の部分と係合する別の部品として形成された棚であることを特徴とする請求項１に記載の装置。
【請求項１３】
前記棚は、前記第１の部分と係合する別の部品として形成されることを特徴とする請求項１２に記載の装置。
【請求項１４】
前記第３の手段は、摩擦係合または所定の複数の指状突起であることを特徴とする請求項１に記載の装置。
【請求項１５】
前記第３の手段は、複数の指状突起であることを特徴とする請求項１４に記載の装置。
【請求項１６】
前記第１および第２の所定の複数の歯は、同一であることを特徴とする請求項１に記載の装置。
【請求項１７】
前記第１の部分は、車両に配置されたカップホルダであり、
前記装置は、少なくとも一部が前記装置の底面に配置される第４の手段をさらに備えることを特徴とする請求項１に記載の装置。
【請求項１８】
前記第４の手段は、接着剤および少なくとも１つの磁石から選択されることを特徴とする請求項１７に記載の装置。
【請求項１９】
前記第４の手段は、前記接着剤であることを特徴とする請求項１８に記載の装置。
【請求項２０】
前記接着剤は、両面テープであることを特徴とする請求項１９に記載の装置。
【国際調査報告】
2013525207.tif 000029